(57)【特許請求の範囲】
【請求項１】
素材として形状記憶合金を用いることにより常時開口を維持する構成とした通信用アンテナをストラップ部の一部として構成すると共に、
変復調回路、制御ＣＰＵ及びメモリを含みかつ前記通信用アンテナに接続される非接触式ＩＣチップを前記ストラップ部の付け根に取り付けたビーズ部に内蔵する、
ことを特徴とするストラップ型無線通信装置。
【請求項２】
芯にループ状を維持する伸縮素材を用いて、当該芯に並行に被膜導線を巻いた構成としたことにより、常時開口習性を付与した通信用アンテナをストラップ部の一部として構成すると共に、
変復調回路、制御ＣＰＵ及びメモリを含みかつ前記通信用アンテナに接続される非接触式ＩＣチップを前記ストラップ部の付け根に取り付けたビーズ部に内蔵する、
ことを特徴とするストラップ型無線通信装置。
【請求項３】
芯にループ状を維持する伸縮素材を用いて、当該芯を軸として被膜導線を巻き付けた構成としたことにより、常時開口習性を付与した通信用アンテナをストラップ部の一部として構成すると共に、
変復調回路、制御ＣＰＵ及びメモリを含みかつ前記通信用アンテナに接続される非接触式ＩＣチップを前記ストラップ部の付け根に取り付けたビーズ部に内蔵する、
ことを特徴とするストラップ型無線通信装置。
【請求項４】
前記ビーズ部は、
前記非接触式ＩＣチップを樹脂によりモールドして一体包蔵する、
ことを特徴とする請求項１、２又は３に記載のストラップ型無線通信装置。
【請求項５】
前記芯は、
輪ゴムである、
ことを特徴とする請求項２又３に記載のストラップ型無線通信装置。
【請求項６】
前記ビーズ部は、
常時携帯物に取り付け自在に紐を連結する、
ことを特徴とする請求項１、２、３、４又は５に記載のストラップ型無線通信装置。
【請求項７】
前記常時携帯物は、
携帯電話、構内ＰＨＳ、通信機能付きＰＤＡ若しくはその他の各種情報通信端末又は鞄である、
ことを特徴とする請求項６に記載のストラップ型無線通信装置。
【請求項８】
素材として形状記憶合金を用いることにより常時開口を維持する構成とした通信用アンテナをストラップの一部として構成すると共に、変復調回路、制御ＣＰＵ及びメモリを含みかつ前記通信用アンテナに接続される無線通信機能ＩＣチップを前記ストラップの付け根に取り付けたビーズ部に内蔵するストラップ型無線通信手段を常時携帯物にストラップとして取付けておき、
当該無線通信機能ＩＣチップを機能させる場合に、
当該無線通信機能ＩＣチップのリーダライタ装置と前記通信用アンテナ間で送受信通信し、当該送受信通信により前記無線通信機能ＩＣチップと外部とで交信を行う、
ことを特徴とするストラップ型無線通信方法。
【請求項９】
芯にループ状を維持する伸縮素材を用いて、当該芯に並行に被膜導線を巻いた構成としたことにより常時開口習性を付与した通信用アンテナをストラップの一部として構成すると共に、変復調回路、制御ＣＰＵ及びメモリを含みかつ前記通信用アンテナに接続される無線通信機能ＩＣチップを前記ストラップ部の付け根に取り付けたビーズ部に内蔵するストラップ型無線通信手段を常時携帯物にストラップとして取付けておき、
当該無線通信機能ＩＣチップを機能させる場合に、
当該無線通信機能ＩＣチップのリーダライタ装置と前記通信用アンテナ間で送受信通信し、当該送受信通信により前記無線通信機能ＩＣチップと外部とで交信を行う、
ことを特徴とするストラップ型無線通信方法。
【請求項１０】
芯にループ状を維持する伸縮素材を用いて、当該芯を軸として被膜導線を巻き付けた構成としたことにより常時開口習性を付与した通信用アンテナをストラップの一部として構成すると共に、変復調回路、制御ＣＰＵ及びメモリを含みかつ前記通信用アンテナに接続される無線通信機能ＩＣチップを前記ストラップ部の付け根に取り付けたビーズ部に内蔵するストラップ型無線通信手段を常時携帯物にストラップとして取付けておき、
当該無線通信機能ＩＣチップを機能させる場合に、
当該無線通信機能ＩＣチップのリーダライタ装置と前記通信用アンテナ間で送受信通信し、当該送受信通信により前記無線通信機能ＩＣチップと外部とで交信を行う、
ことを特徴とするストラップ型無線通信方法。
【請求項１１】
前記芯は、
輪ゴムである、
ことを特徴とする請求項９又は１０に記載のストラップ型無線通信方法。
【請求項１２】
前記常時携帯物は、
携帯電話、構内ＰＨＳ、通信機能付きＰＤＡ若しくはその他の各種情報通信端末又は鞄である、
ことを特徴とする請求項８、９、１０又は１１に記載のストラップ型無線通信方法。
【発明の詳細な説明】
【０００１】
【発明の属する技術分野】
本発明は、通信用アンテナコイルをストラップの一部として構成し、当該ストラップの付け根に変復調回路、制御ＣＰＵ及びメモリ機能をモジュールとして組み込んだストラップ型無線通信装置及び方法に関する。
【０００２】
【従来の技術】
従来、特定エリアでの入退室管理、プリペイドなどのエリア系サービスにおいては、身分証、学生証、通過証といったカード形状のＩＣカードが利用されている一方で、モバイル機器の普及はすさまじく常時携帯している人数は略固定電話と同程度の六千万までになっている。ところが、従来これらのサービス提供及び運用は個別独立に行われて各サービスの提供が行われているのが現状である。
【０００３】
また、ストラップ付きＩＣユニットを携帯電話に連結したストラップ付きＩＣユニット（特開２００１−９２９３９）がある。このストラップ付きＩＣユニットは、ストラップのビーズ部分にＩＣモジュールとアンテナコイルを一体に組み込み、ＩＣユニットに環状の柔軟性紐を取り付けて携帯電話に取付ける構成となっており、一般的に用いられているアクセサリ用ストラップと同様な組込形態となっている。
【０００４】
【発明が解決しようとする課題】
ところが、この組込形態では、リーダライタ装置間での送受信通信を確実に行うにはアンテナコイルを大きくする必要があることから、必然的にＩＣユニット自体が大きくなり、強いてはモバイル端末と同程度の大きさになってしまうことになり、携帯性を阻害することになる一方で、ＩＣユニット（送受信用アンテナコイル）を小さくした場合には、通信距離も短くなることからリーダライタ装置のアンテナコイルに接触する必要があることになってしまい、ユーザへの使い勝手に支障が生じるという問題点がある。
【０００５】
ここにおいて、本発明の解決すべき主要な目的は以下の通りである。
本発明の第１の目的は、無線通信ＩＣチップを付加したストラップ部の紐状部分にアンテナを形成して、そのアンテナコイル形状を常に開口し、当該アンテナコイルとリーダライタとの間にて送受信を確実に行う、ストラップ型無線通信装置及び方法を提供することにある。
【０００６】
本発明の第２の目的は、ユーザの使い勝手に配慮した、ストラップ型無線通信装置及び方法の提供にある。
【０００７】
本発明の第３の目的は、常時携帯しているモバイル機器、所定の鞄等に物理的に取り付けられる、ストラップ型無線通信装置を提供することにある。
【０００８】
本発明の他の目的は、明細書、図面、特に特許請求の範囲における各請求項の記載から自ずと明らかとなろう。
【０００９】
【課題を解決するための手段】
本発明装置は、上記課題の解決に当たり、常時開口を維持できる通信用アンテナをストラップ部の一部として構成すると共に、変復調回路、制御ＣＰＵ及びメモリを含みかつ当該通信用アンテナに接続される非接触式ＩＣチップを当該ストラップ部の付け根に取り付けたビーズ部に内蔵した、特徴的構成手段を講じる。
【００１０】
本発明方法は、上記課題の解決に当たり、変復調回路、制御ＣＰＵ及びメモリを含んだ無線通信機能ＩＣチップ並びに常時開口した通信用アンテナを有するストラップ型無線通信手段を常時携帯物にストラップとして取付けておき、当該無線通信機能ＩＣチップを機能させる場合に、当該無線通信機能ＩＣチップのリーダライタ装置と当該通信用アンテナ間で送受信通信し、当該送受信通信により当該無線通信機能ＩＣチップと外部とで交信を行う、特徴的構成手法を講じる。
【００１１】
更に具体的詳説すると、当該課題の解決では、本発明が以下に列挙する新規な特徴的構成手段又は手法を採用することにより、上記目的を達成するように為される。
【００１２】
本発明装置の第１の特徴は、素材として形状記憶合金を用いることにより常時開口を維持する構成とした通信用アンテナをストラップ部の一部として構成すると共に、変復調回路、制御ＣＰＵ及びメモリを含みかつ前記通信用アンテナに接続される非接触式ＩＣチップを前記ストラップ部の付け根に取り付けたビーズ部に内蔵してなる、ストラップ型無線通信装置の構成採用にある。
【００１３】
本発明装置の第２の特徴は、芯にループ状を維持する伸縮素材を用いて、当該芯に並行に被膜導線を巻いた構成としたことにより、常時開口習性を付与した通信用アンテナをストラップ部の一部として構成すると共に、変復調回路、制御ＣＰＵ及びメモリを含みかつ前記通信用アンテナに接続される非接触式ＩＣチップを前記ストラップ部の付け根に取り付けたビーズ部に内蔵してなる、ストラップ型無線通信装置の構成採用にある。
【００１４】
本発明装置の第３の特徴は、芯にループ状を維持する伸縮素材を用いて、当該芯を軸として被膜導線を巻き付けた構成としたことにより、常時開口習性を付与した通信用アンテナをストラップ部の一部として構成すると共に、変復調回路、制御ＣＰＵ及びメモリを含みかつ前記通信用アンテナに接続される非接触式ＩＣチップを前記ストラップ部の付け根に取り付けたビーズ部に内蔵してなる、ストラップ型無線通信装置の構成採用にある。
【００１５】
本発明装置の第４の特徴は、上記本発明装置の第１、２又は第３の特徴における前記ビーズ部が、前記非接触式ＩＣチップを樹脂によりモールドして一体包蔵してなる、ストラップ型無線通信装置の構成採用にある。
【００１６】
本発明装置の第５の特徴は、上記本発明装置の第２又は第３の特徴における前記芯が、輪ゴムである、ストラップ型無線通信装置の構成採用にある。
【００１７】
本発明装置の第６の特徴は、上記本発明装置の第１、２、３、４又は第５の特徴における前記ビーズ部が、常時携帯物に取り付け自在に紐を連結してなる、ストラップ型無線通信装置の構成採用にある。
【００１８】
本発明装置の第７の特徴は、上記本発明装置の第６の特徴における前記常時携帯物が、携帯電話、構内ＰＨＳ、通信機能付きＰＤＡ若しくはその他の各種情報通信端末又は鞄である、ストラップ型無線通信装置の構成採用にある。
【００２０】
本発明方法の第１の特徴は、素材として形状記憶合金を用いることにより常時開口を維持する構成とした通信用アンテナをストラップの一部として構成すると共に、変復調回路、制御ＣＰＵ及びメモリを含みかつ前記通信用アンテナに接続される無線通信機能ＩＣチップを前記ストラップの付け根に取り付けたビーズ部に内蔵するストラップ型無線通信手段を常時携帯物にストラップとして取付けておき、当該無線通信機能ＩＣチップを機能させる場合に、当該無線通信機能ＩＣチップのリーダライタ装置と前記通信用アンテナ間で送受信通信し、当該送受信通信により前記無線通信機能ＩＣチップと外部とで交信を行ってなる、ストラップ型無線通信方法の構成採用にある。
【００２１】
本発明方法の第２の特徴は、芯にループ状を維持する伸縮素材を用いて、当該芯に並行に被膜導線を巻いた構成としたことにより常時開口習性を付与した通信用アンテナをストラップの一部として構成すると共に、変復調回路、制御ＣＰＵ及びメモリを含みかつ前記通信用アンテナに接続される無線通信機能ＩＣチップを前記ストラップ部の付け根に取り付けたビーズ部に内蔵するストラップ型無線通信手段を常時携帯物にストラップとして取付けておき、当該無線通信機能ＩＣチップを機能させる場合に、当該無線通信機能ＩＣチップのリーダライタ装置と前記通信用アンテナ間で送受信通信し、当該送受信通信により前記無線通信機能ＩＣチップと外部とで交信を行ってなる、ストラップ型無線通信方法の構成採用にある。
【００２２】
本発明方法の第３の特徴は、芯にループ状を維持する伸縮素材を用いて、当該芯を軸として被膜導線を巻き付けた構成としたことにより常時開口習性を付与した通信用アンテナをストラップの一部として構成すると共に、変復調回路、制御ＣＰＵ及びメモリを含みかつ前記通信用アンテナに接続される無線通信機能ＩＣチップを前記ストラップ部の付け根に取り付けたビーズ部に内蔵するストラップ型無線通信手段を常時携帯物にストラップとして取付けておき、当該無線通信機能ＩＣチップを機能させる場合に、当該無線通信機能ＩＣチップのリーダライタ装置と前記通信用アンテナ間で送受信通信し、当該送受信通信により前記無線通信機能ＩＣチップと外部とで交信を行ってなる、ストラップ型無線通信方法の構成採用にある。
【００２３】
本発明方法の第４の特徴は、上記本発明方法の第２又は第３の特徴における前記芯が、輪ゴムである、ストラップ型無線通信方法の構成採用にある。
【００２４】
本発明方法の第５の特徴は、上記本発明方法の第１、第２、第３又は第４の特徴における前記常時携帯物が、携帯電話、構内ＰＨＳ、通信機能付きＰＤＡ若しくはその他の各種情報通信端末又は鞄である、ストラップ型無線通信方法の構成採用にある。
【００２６】
【発明の実施の形態】
以下、本発明の実施の形態を装置例、方法例の順に図面を参照して説明する。
【００２７】
（装置例）
図１は、本発明装置の一実施形態であるストラップ型無線通信装置を携帯電話に取付けた場合の模式図であり、また、同時にストラップ型無線通信装置による通信方法の本発明の一実施形態をも併せて図示している。
【００２８】
図１にて、αはストラップ型無線通信装置、１は携帯電話（構内ＰＨＳ、通信機能付きＰＤＡなどのモバイル機器でも可）、２は制御用ＣＰＵ、メモリ、変復調回路、アンテナ送受信回路を含んだ無線通信機能のＩＣチップ（以下、「無線通信機能ＩＣチップ」とする。尚、一般の非接触型ＩＣカード（但し、アンテナ部分を除く）に相当）２ａを有機樹脂などにより一体包蔵成形してモールドしたビーズ部である。
【００２９】
３は無線通信機能ＩＣチップに接続された通信用アンテナ（尚、通信用アンテナを構成しかつ開口を維持できる構成である必要がある。ここで、名称自体は送受信用ループアンテナなどでも構わない。）、４は携帯電話１等とストラップ型無線通信装置αとを接続する紐、５は通信用アンテナ３に対するアンテナコイル５ａを含んだリーダライタ装置である。
【００３０】
そして、通信用アンテナ３を常に開口することにより、リーダライタ装置５との間において無線通信機能ＩＣチップ２ａへ電力供給が安定し、送受信通信を行うことが可能となる。ところで、かかる開口状態が何らかの外部圧力等により通信用アンテナ３がねじれ、通信用磁束がリーダライタ装置５のアンテナコイル５ａを横切らない状態になると電力供給ができなくなり、送受信通信ができなくなる。それを回避するための通信用アンテナ３の構成について実施例を説明する。
【００３１】
【実施例】
図２（ａ）〜（ｃ）は、それぞれ、通信用アンテナ３を常に開口状態とする様に構成したストラップ型無線通信装置である。α１、α２、α３はそれぞれストラップ型無線通信装置で、３ａ、３ｂ、３ｃはそれに対応した通信用アンテナである。
【００３２】
（第一実施例）
第一実施例として、図２（ａ）において、通信用アンテナ３ａの形成に際して、アンテナの芯６に相当する部分に伸縮復元素材をループ状に形成し（例えば輪ゴムで代用することでも足りる。）、その外側にループ側面に沿って細い被膜導線（例えば被膜銅線）７を芯６と同じくループ状に巻くことにより（巻き数は問わない。また必要に応じて芯６と被膜導線７は外れない様に接着することになる。）、通信用アンテナ３の外力等による変形に対して芯６の伸縮素材の材質により常にループ状に広く開口した状態を得ることができる。
【００３３】
（第二実施例）
第二実施例として、図２（ｂ）において、通信用アンテナ３ｂ形成に際して、アンテナの芯６に相当する部分に伸縮素材をループ状に形成し（例えば輪ゴムで代用することでも足りる。尚ここまでは第一実施例と同様である。）、その芯６を軸として細い被膜導線（例えば被膜銅線）８を編み上げることにより、通信用アンテナ３のねじれがなくなり、更に確実な通信用アンテナ３の開口状態を得ることができ、もってリーダライタ装置５との間での安定した通信を得ることができる。
【００３４】
（第三実施例）
第三実施例として、図２（ｃ）において、第一、第二実施例と異なり、ループ状の導通する形状記憶合金９を用いて通信用アンテナ３ｃを構成する（先の芯６の役割と被膜導線７、８の役割を兼ねる）ことにより常に開口状態を得ることができる。尚、１０はスペーサで、形状記憶合金９に絶縁被膜がなければ絶縁性であることが必要となる。
【００３５】
詳細には、例えば体温付近の温度で常に開口状態になる形状記憶合金を用いて、その形状がくずれた場合又は開口度合いが狭くなった場合（同図の点線にて示す様な場合）には、手に持つことにより元のループ状の通信用アンテナ３ｃに戻ることにより、広く大きくループ状態に開口することができ、もってリーダライタ装置５との間にて安定した送受信通信を行うことができる。
【００３６】
このように、第三実施例では形状記憶を導通する素材でアンテナ形成をしたが、第一、第二実施例の構成での形状記憶の素材を繊維で行っても同様なことがいえる。
【００３７】
（方法例）
本方法例は上記装置例による通信方法であり、前述の内容をもとに説明する。図１に示す様に、前述した様に、例えば携帯電話１のモバイル機器などに、無線通信機能ＩＣチップ２ａを格納したビーズ部２及び常に開口した通信用アンテナ３などで構成されたストラップ型無線通信装置αをストラップとして取付ける。
【００３８】
無線通信機能ＩＣチップ２ａで実現されるサービス内容とモバイル機器により実現される内容とをそれぞれ実現できる。特に、ストラップ型無線通信装置αによるストラップ無線通信方法としては、前述した様に、リーダライタ５のアンテナコイル５ａと送受信できるように、ストラップ型無線通信装置αの通信用アンテナ３を常時広く開口できる構成として、通信用アンテナ３を介してビーズ部２内の無線通信機能ＩＣチップ２ａと通信を行うことによりそのサービスを享受することができる。
【００３９】
以上、本発明の形態である装置例、方法例を説明したが、本発明の目的を達し、下記する効果を奏する範囲において、適宜変更して実施可能である。尚、ストラップ型無線通信装置αは、携帯電話、構内ＰＨＳ、通信機能付きＰＤＡその他の各種情報通信端末のみならず、鞄など常に携帯するもの（常時携帯物）にもストラップとして付けることでもストラップ型無線通信を実現できるもので、例えば無線通信機能ＩＣチップ２ａで実現できる非接触式ＩＣカード機能により、サービスの提供を受けることができる。
【００４０】
【発明の効果】
本発明によれば、無線通信機能ＩＣチップと常に開口した状態で維持できる通信用アンテナとにより、通信用アンテナとリーダライタ装置との間での送受信通信を確実に行うことができ、特定のサービスに対して無線通信機能ＩＣチップで構成される非接触式ＩＣカード及びモバイル機能の双方を利用でき、ユーザの利便性が向上し高いサービスを受けることができると共に、サービス提供者にとってもユーザに魅力あるサービスを提供できるなどの有益な効果を奏する。
【図面の簡単な説明】
【図１】本発明装置の一実施形態であるストラップ型無線通信装置を携帯電話に取付けた場合の模式図であり、また、同時にストラップ型無線通信装置による通信方法の本発明の一実施形態をも併せて図示した図である。。
【図２】通信用アンテナ３を常に開口状態とする様に構成したストラップ型無線通信装置の実施例であり（ａ）（ｂ）（ｃ）はそれぞれその第一実施例、第二実施例、第三実施例である。
【符号の説明】
α、α１、α２、α３…ストラップ型無線通信装置
１…携帯電話
２…ビーズ部
２ａ…無線通信機能ＩＣチップ
３、３ａ、３ｂ、３ｃ…通信用アンテナ
４…紐
５…リーダライタ装置
５ａ…アンテナコイル
６…芯
７、８…被膜導線
９…形状記憶合金
１０…スペーサ
【図１】
0003827200.tif 000002
【図２】
0003827200.tif 000003